(57)【要約】      （修正有）【課題】すべての指を離しても楽器を支えていられ、両手の形も一定のまま指を自由に動かすようにできるようにしたオカリナを提供する。【解決手段】楽器本体１に突起状の張り出しを付け、この突起状の張り出し１３を水平に両手の親指と人差し指の間で支えるようにした。楽器を１０本の指以外で支えることが出来るので、楽器を安定させたままで各指が自由に素早く動かせるので、低音から高音まで、早い楽曲でも楽に演奏することが出来る。特に、２連管、３連管のような複数管のオカリナは、演奏時に管を移動させる必要があるため、指以外で楽器を支えて安定していると非常に演奏しやすくなる。【選択図】図１
2015049504.tif 000002
【特許請求の範囲】
【請求項１】
オカリナを竪型にし、上部に空気吹き込み口を設け、本体を支えるために左右に突起状の張り出しを付けた楽器。
【請求項２】
オカリナを竪型にし、上部に空気吹き込み口を設け、本体を支えるために左右に取り外し可能な支持腕を付けた楽器。
【請求項３】
オカリナを竪型にし、上部に空気吹き込み口を設け、本体を支えるために左右に突起状の張り出しを付け、内部に部分的な壁を取り付けた楽器。
【発明の詳細な説明】
【技術分野】
【０００１】本発明は、楽器・オカリナの構造に関するものである。
【発明の概要】
【発明が解決しようとする課題】
【０００２】オカリナは、基本的には陶器で作られ、その美しい音色と音が楽に出せることから、近年愛好者が爆発的に増えている。材質は、陶器以外にプラスチック、木製などのものも作成されている。一般的なオカリナは、図３に示すように、基本的には楽器本体が横または斜め横型で、空気を吹き込む吹き口が本体横についている形状のものである。本体には１０から１２個の音程調節用の穴が開いているのが基本であるが、穴の数が異なるものもある。音程は、一般の木管楽器のように各穴をふさぐか閉じるかして調節する。オカリナの場合は、指で穴をふさぐ時には、その指が同時に楽器を支える役目もしている。【０００３】従来のオカリナの構造を図３及び図４によって説明する。図４の本体１の横側に空気吹き込み口２があって、ここから空気を吹き込む。この空気が、１４の歌口と呼ばれる穴から出て、管内の空気を振動させることにより音が出る。歌口の形状は円形が基本であるが、長円や三角形など、形の違うものもある。最低音を出すときには図４の１３、１４の左右の親指穴をふさぎ、図３の３から１２までのすべての穴をふさぐ。右人差し指は、７と１１の両方を、中指は小穴８と１２の両方を１本の指でふさぐ。最高音を出すときには、すべての指を離して、すべての穴が開くようにしなければならない。この時楽器を支えるためには、穴をふさがないようにして、楽器の一部を手で掴むなどの方法で楽器を支えなければならない。この動作は非常に不安定であり、またこの状態から、低い音を出すための指の位置に戻すのには、一旦楽器を掴んでいた指を離して、音程調節用の穴をふさぐ動作に移るので、時間がかかり、楽器を安定して保持するのが困難であった。このように、穴を全く塞がない高音と、多くの穴をふさぐ低音が必要な楽曲を早い速度で演奏するのは非常に困難であった為、楽器としての運動性に大きな問題があった。
【課題を解決するための手段】
【０００４】本発明は楽器を演奏する時の運動性を大幅に改善するために、１０本の指以外の部分で楽器を支えられるように工夫をしたものである。図１に示すように楽器本体に楽器を支えるための突起１３を付け、この突起部分を両手の親指と人差し指の間にほぼ水平に載せて支えるようにした。オカリナの重量は、１０本の指以外の両手の親指と人差し指の間にかかるので、すべての指が楽器を支える必要がなく、音程調節のための穴の開閉に自由に動くことを可能にした。図１では、右手と左手がほぼ水平に保たれるように、穴の位置を縦２列にして左右が並列的に並ぶようにしたが、配列は必ずしもこれに限るものではない。
【発明の効果】
【０００５】楽器を１０本の指以外で支えることが出来るので、楽器を安定させたまま各指が自由に素早く動かせるようになったので、低音から高音まで、早い楽曲でも楽に演奏することが出来るようになった。一般には、オカリナは、図３及び図４に示した単管のものが広く使われているが、近年では音域を広げるために類似の構造の管を付加して一つの楽器に纏め、２連管、３連管と言われる複数管のオカリナがある。これら複数管のオカリナは、演奏時に複数管の空気吹き込み口に唇を移動させる必要があるため、指以外で楽器を支えると楽器が安定して非常に演奏しやすくなる。【０００６】従来の形のオカリナは、楽器を横あるいは斜め横に持って演奏するので、木管楽器のフルートの持ち方よりも右手が斜め下になって、窮屈な感じになっていた。本発明によって、楽器が縦になるので、クラリネットのようにまっすぐな形で持つことが出来る。また、左右の腕の位置が同じ高さになるので、更に自然な形で演奏することが出来るようになった。楽器の重さも、左右の手に均等にかかるので、楽器を支える手にかかる負担が非常に少なくなった。【０００７】本発明の楽器の構造に関しては、楽器を縦に持って空気吹き込み口の位置が上になるのと、突起１３があるのが従来のものと大きく異なる。音程を調節する為の穴の役割は基本的に変わらない。図１の３から１２の穴の役割は、図３の３から１２の役割と同じである。図２の１５及び１６の役割も図４の１５及び１６の役割と同じである。尚、穴の数と配置は、オカリナの設計、製作者によって異なる場合がある。【０００８】従来のオカリナでは右手が下方向、左手が上方向とするようにほぼ１列に音程調節用の穴が並んでいた。図１では右手と左手がほぼ水平に保たれるように、穴の位置を縦２にして左右が並列的に並ぶようにしたが、穴の配列は２列並行でなくとも良い。たとえば左手人差し指、右手人差し指、左手中指、右手中指、左手薬指、右手薬指、左手小指、右手小指といった順序で縦一列にしても良く、これでも左右の手がほぼ水平に保たれる。また左右の指が交互になるような配列にした時に、左手の指を上側にするか、右手の指を上側にするかは、どちらでもよく、演奏者が演奏しやすいように選択してよい。【０００９】オカリナに限らず、楽器は一般に低音になるほど大きくしなければならない。オカリナの場合も同様であるが、陶器で製作した場合はかなり重くなり、従来の形であると、楽器を支えるのが非常に困難になる。他の管楽器、例えばサクソフォンなどは、基本的には右手親指１本で支える構造だが、楽器に紐をつけて首から吊るすようにして右手親指にかかる重量を軽くし、支える親指の負担を軽減している。しかし、従来の構造のオカリナの場合は、このようにしようとしても紐が邪魔になって指がうまく動かせなくなる。本発明の構造にすれば、突起部に穴をあけて紐で吊るしても手の動きの邪魔になることはない。【００１０】また、更に低音にするためにオカリナが大きくなった場合、重すぎて手で支えられなくなることがある。その場合には、チェロやバスクラリネットのように楽器の下部に支柱を付け、椅子や床で荷重を支える構造にすることもできる。この場合でも、楽器の持ち方は基本的に変わらないので、自然な形で演奏することが出来る。【００１１】オカリナが高音用のもので本体が小さい場合は、突起部が本体に比べて相対的に大きくなり、かえって持ち運びに不便になることがある。このような場合には、本体と支柱を別々に製作して図１及び図２の突起１３にヒンジを付けたり、蝶番を使用したりして別に製作した支持腕を取り付けて折り畳み可能な構造にすれば、もち運びに便利になる。図５は、楽器支持用の支持腕をビス１８で取り付けたものである。図の左側の支持腕１７が使用状態のものを示し、図の右側のしじうで１７は折りたたんだ状態を示す。このようにすると、持ち運びする時は支持腕１７を折りたたむことが出来るので、小さくて持ち運びに便利になる。もちろん、支持腕１７を取り外して、使用する時だけ取り付けるようにしても良い。【００１２】オカリナは図３に示すように、基本的には長い管に穴をあけてこれを開閉することによって音程を調節する。フルートやクラリネットなどは開管楽器と言われて、管の先が解放されていて、穴の位置で管の長さを調節して音程を調節している。オカリナは全体が閉じた構造になっており、閉管楽器と言われる。音程の調節は、管の長さではなく、穴を開閉することによって内容積を変えることにより音程が調節される。このことは、穴の位置と大きさは開管楽器に比べるとかなりの自由度がある。従って色々な形のオカリナを製作することが可能になっている。しかしながら、図３に示すように長さ方向に順に穴をあけると、穴の位置、大きさが自然になる。単一のオカリナで円形など、異なった形にすると、ある穴を異常に大きくしないと音程の変化をつけられなくなるような場合が出てくる。この問題を解決するために、図６に示すように、部分的な隔壁を付けて、内部構造的には長いオカリナを２つに折ったような形にした。これによって、穴の位置と大きさが図３に示す構造と類似の形になり、自然な配列と大きさにすることが可能になった。
【図面の簡単な説明】
【図１】本発明のオカリナの表側を示す図である。
【図２】本発明のオカリナの裏側を示す図である。
【図３】従来のオカリナの表側を示す図である。
【図４】従来のオカリナの裏側を示す図である。
【図５】取り外し可能な腕を取り付けた図である。
【図６】部分壁を付けた状態を示す図である。
【符号の説明】１  本体                    ２  空気吹き込み口          ３  左人差し指穴
４  左中指穴                ５  左薬指穴                ６  左小指穴
７  右人差し指穴            ８  右中指穴                ９  右薬指穴
１０  右小指穴              １１  小穴                  １２  小穴
１３  突起状の張り出し      １４  歌口                  １５  左親指穴
１６  右親指穴              １７  取り外し可能な支持腕  １８  取り付けビス
１９  部分壁
【図１】
2015049504.tif 000003
【図２】
2015049504.tif 000004
【図３】
2015049504.tif 000005
【図４】
2015049504.tif 000006
【図５】
2015049504.tif 000007
【図６】
2015049504.tif 000008